(57)【要約】【課題】外部熱源により作動媒体を加熱する作動媒体加熱部の伝熱を改良し、作動媒体加熱部がコンパクトで、且つ液滴のない乾き作動媒体蒸気を膨張機に供給できる発電装置を提供すること。【解決手段】蒸気発生器１１、凝縮器１２、膨張機（蒸気タービン）１３、作動媒体ポンプ１４、配管経路１６、及び膨張機１３で駆動される発電機１７を具備する発電装置において、作動媒体ポンプ１４から蒸気発生器１１までの配管経路１６中に、予熱器１８を設け、予熱器１８に供給する温水１９は、蒸気発生器１１の入口側の温水１９である。【選択図】図１
2005264753.tif 000002
【特許請求の範囲】
【請求項１】
蒸気発生器、凝縮器、膨張機、作動媒体ポンプ、これらを結ぶ配管経路、該配管経路に封入した作動媒体、及び前記膨張機で駆動される発電機を具備し、前記蒸気発生器にて外部熱源からの加熱熱媒で発生した作動媒体蒸気を、前記膨張機に導き発電機を駆動し、該作動媒体蒸気を前記凝縮器にて外部からの冷却媒体にて冷却して凝縮し、該凝縮した作動媒体液を作動媒体ポンプにて蒸気発生器に送り込むように構成した外部からの加熱熱媒を熱源にした発電装置において、
前記作動媒体ポンプから前記蒸気発生器までの前記配管経路中に、予熱器を設け、
前記予熱器に供給する熱媒は、前記蒸気発生器の入口側の熱媒であること特徴とする発電装置。
【請求項２】
蒸気発生器、凝縮器、膨張機、作動媒体ポンプ、これらを結ぶ配管経路、該配管経路に封入した作動媒体、及び前記膨張機で駆動される発電機を具備し、前記蒸気発生器にて外部熱源からの加熱熱媒で発生した作動媒体蒸気を、前記膨張機に導き発電機を駆動し、該作動媒体蒸気を前記凝縮器にて外部からの冷却媒体にて冷却して凝縮し、該凝縮した作動媒体を作動媒体ポンプにて蒸気発生器に送り込むように構成した外部からの加熱熱媒を熱源にした発電装置において、
前記作動媒体ポンプから前記蒸気発生器までの前記配管経路中に、予熱器を設け、
前記予熱器から出る作動媒体温度を、前記蒸気発生器での蒸気温度以上にすることを特徴とする発電装置。
【請求項３】
請求項１又は２に記載の発電装置において、
前記蒸気発生器に供給する加熱熱媒を、該蒸気発生器と前記予熱器とに並列に供給し、該予熱器における作動媒体と熱媒とは向流になっていることを特徴とする発電装置。
【請求項４】
請求項１乃至３のいずれか１項に記載の発電装置において、
前記予熱器出口の作動媒体温度を所定値とするように、前記予熱器への加熱熱媒を調整する装置を設けたことを特徴とする発電装置。
【請求項５】
請求項４に記載の発電装置において、
前記蒸気発生器での蒸発温度を基に、前記予熱器出口の目標温度を設定することを特徴とする発電装置。
【請求項６】
蒸気発生器、凝縮器、膨張機、作動媒体ポンプ、これらを結ぶ配管経路、該配管経路に封入した作動媒体、及び前記膨張機で駆動される発電機を具備し、前記蒸気発生器にて外部熱源からの加熱熱媒で発生した作動媒体蒸気を、前記膨張機に導き発電機を駆動し、該作動媒体蒸気を前記凝縮器にて外部からの冷却媒体にて冷却して凝縮し、該凝縮した作動媒体液を作動媒体ポンプにて蒸気発生器に送り込むように構成した外部からの加熱熱媒を熱源にした発電装置において、
前記蒸気発生器において熱交換する前記加熱熱媒と前記作動媒体とを平行流で流し、
前記蒸気発生器から前記膨張機までの前記配管経路中に気液分離器を設け、
前記気液分離器で分離した作動媒体液を前記蒸気発生の入口側又は中間部に戻すことを特徴とする発電装置。
【請求項７】
請求項６に記載の発電装置において、
前記作動媒体ポンプから前記蒸気発生器までの前記配管経路中に、予熱器を設けたことを特徴とする発電装置。
【請求項８】
請求項７に記載の発電装置において、
前記蒸気発生器に供給する加熱熱媒を、該蒸気発生器と前記予熱器とに並列に供給し、該予熱器における作動媒体と加熱熱媒とは向流になっていることを特徴とする発電装置。
【発明の詳細な説明】
【技術分野】
【０００１】
本発明は、排熱を回収した温水等を熱源とし、ランキングサイクル等の蒸気の膨張機を用いて発電機を駆動し発電する発電装置に関し、特に作動媒体のを加熱する加熱部（蒸気発生器、予熱器等）のコンパク化を図った発電装置に関するものである。
【背景技術】
【０００２】
通常この種の発電装置では、燃焼ガス或いは排ガス等の非常に高温の熱源を用いており、熱源温度と作動媒体温度との差温を大きく、蒸気発生器の作動媒体側の伝熱（沸騰しない領域の伝熱）が悪くても、大きな温度差を基に、蒸気発生器に熱源が入ると間もなく作動媒体の沸騰が始まる。
【０００３】
また、通常この種の発電装置の蒸気発生器には、作動媒体液が過冷却状態で入り、過熱蒸気になって出てくる。即ち、液滴のない乾き蒸気とし、膨張機に液滴が入らないようにしている。蒸気発生器の作動媒体を過熱状態にするには蒸気を加熱しなければならないが、作動媒体側の伝熱が悪く、また蒸気発生器の作動媒体入口部では、作動媒体は沸騰しておらず、流速も遅いので伝熱が悪い。
【０００４】
また、通常の発電装置では上記のように、熱源に燃焼ガス或いは排ガス等の非常に高温の熱源を用いており、熱源と作動媒体との温差が大きく、伝熱が悪くても、この大きな温度差を基に、作動媒体の沸騰を開始させ、過熱蒸気とすることができる。
【０００５】
排熱を回収した温水等を熱源とする場合（１００℃未満の温水を熱源とする場合）、熱源温度が低いため、熱源と作動媒体との温差が小さくならざるを得ない。温差が小さいと、作動媒体はなかなか沸騰せず、作動媒体側の伝熱が悪い。このため蒸気発生器に必要な伝熱面積が非常に大きくなる。
【０００６】
【特許文献１】特開平１１−２２３１０６号公報
【発明の開示】
【発明が解決しようとする課題】
【０００７】
蒸気発生器内部では、作動媒体の蒸気が発生するので、作動媒体の流路は蒸気の流速を考慮した流路面積としている。蒸気と液とでは比容積が大きく異なり、作動媒体液の流速は非常に遅くなる傾向にある。
【０００８】
蒸気発生器の作動媒体の伝熱は、気泡が発生し沸騰している部分と、沸騰していない部分とでは非常に異なり、作動媒体側への流速０．１ｍ／ｓｅｃ以下で殆ど静止しているような状態では、沸騰している部分と、沸騰していない部分との伝熱係数比は１００：１程度になることもある。このような状態では、蒸気発生器の沸騰していない部分の面積が非常に大きくなるという問題がある。
【０００９】
本発明は上述の点に鑑みてなされたもので、外部熱源により作動媒体を加熱する作動媒体加熱部の伝熱を改良し、コンパクトな作動媒体加熱部で作動媒体を加熱できる発電装置を提供することを目的とする。
【００１０】
また、コンパクトな作動媒体加熱部を用いても、液滴のない乾き作動媒体蒸気を膨張機に供給できる発電装置を提供することを目的とする。
【課題を解決するための手段】
【００１１】
上記課題を解決するため請求項１に記載の発明は、蒸気発生器、凝縮器、膨張機、作動媒体ポンプ、これらを結ぶ配管経路、該配管経路に封入した作動媒体、及び膨張機で駆動される発電機を具備し、蒸気発生器にて外部熱源からの加熱熱媒で発生した作動媒体蒸気を、膨張機に導き発電機を駆動し、該作動媒体蒸気を凝縮器にて外部からの冷却媒体にて冷却して凝縮し、該凝縮した作動媒体を作動媒体ポンプにて蒸気発生器に送り込むように構成した外部からの加熱熱媒を熱源にした発電装置において、作動媒体ポンプから蒸気発生器までの配管経路中に、予熱器を設け、予熱器に供給する加熱熱媒は、蒸気発生器の入口側の加熱熱媒であること特徴とする。
【００１２】
請求項２に記載の発明は、蒸気発生器、凝縮器、膨張機、作動媒体ポンプ、これらを結ぶ配管経路、該配管経路に封入した作動媒体、及び膨張機で駆動される発電機を具備し、蒸気発生器にて外部熱源からの加熱熱媒で発生した作動媒体蒸気を、膨張機に導き発電機を駆動し、該作動媒体蒸気を凝縮器にて外部からの冷却媒体にて冷却して凝縮し、該凝縮した作動媒体液を作動媒体ポンプにて蒸気発生器に送り込むように構成した外部からの加熱媒体を熱源にした発電装置において、作動媒体ポンプから蒸気発生器までの配管経路中に、予熱器を設け、予熱器から出る作動媒体温度を、蒸気発生器での蒸気温度（蒸気発生器圧力に対する飽和温度）以上にすることを特徴とする。
【００１３】
請求項３に記載の発明は、請求項１又は２に記載の発電装置において、蒸気発生器に供給する加熱媒体を、該蒸気発生器と予熱器とに並列に供給し、該予熱器における作動媒体と熱媒とは向流になっていることを特徴とする。
【００１４】
請求項４に記載の発明は、請求項１乃至３のいずれか１項に記載の発電装置において、予熱器出口の作動媒体温度を所定値とするように、予熱器への加熱媒体を調整する装置を設けたことを特徴とする。
【００１５】
請求項５に記載の発明は、請求項４に記載の発電装置において、蒸気発生器での蒸発温度を基に、予熱器出口の目標温度を設定することを特徴とする。
【００１６】
上記のように作動媒体ポンプから蒸気発生器までの配管経路中に設けた予熱器では、作動媒体の蒸気発生をさせず、主に顕熱変化をさせるものとし、蒸気比容積を考慮せず、予熱器内作動媒体の流速を大きくとって伝熱を改良する。予熱器では蒸気発生器内での顕熱変化部分の液流速よりは数十倍以上速くすることができ、より効果的に伝熱改良ができる。また、予熱器における作動媒体と加熱媒体とは向流とし、予熱器の作動媒体出口側になるべく高温の熱媒を導入し、作動媒体の予熱器出口温度を高める。これにより、予熱器での作動媒体液を蒸気発生器内圧力に対し、過熱状態或いは飽和温度に近い状態まで加熱することが容易となより、作動媒体液が蒸気発生器に入るとすぐに沸騰を開始する。
【００１７】
請求項６に記載の発明は、蒸気発生器、凝縮器、膨張機、作動媒体ポンプ、これらを結ぶ配管経路、該配管経路に封入した作動媒体、及び前記膨張機で駆動される発電機を具備し、前記蒸気発生器にて外部熱源からの加熱媒体で発生した作動媒体蒸気を、前記膨張機に導き発電機を駆動し、該作動媒体蒸気を前記凝縮器にて外部からの冷却媒体にて冷却して凝縮し、該凝縮した作動媒体液を作動媒体ポンプにて蒸気発生器に送り込むように構成した外部からの加熱熱媒を熱源にした発電装置において、蒸気発生器において熱交換する加熱熱媒と作動媒体とを平行流で流し、蒸気発生器から膨張機までの配管経路中に気液分離器を設け、気液分離器で分離した作動媒体液を蒸気発生の入口側又は中間部に戻すことを特徴とする。
【００１８】
請求項７に記載の発明は、請求項６に記載の発電装置において、作動媒体ポンプから蒸気発生器までの配管経路中に、予熱器を設けたことを特徴とする。
【００１９】
請求項８に記載の発明は、請求項７に記載の発電装置において、蒸気発生器に供給する熱媒を、該蒸気発生器と予熱器とに並列に供給し、該予熱器における作動媒体と加熱熱媒とは向流になっていることを特徴とする。
【００２０】
上記のように蒸気発生器において熱交換する加熱媒体と作動媒体とを平行流で流すことにより、蒸気発生器出口から湿り蒸気、即ち液滴を含む作動媒体の湿り蒸気が出るが、その分伝熱改良がなされ伝熱面積が小さくできる。蒸気発生器出口から出た作動媒体蒸気中の液滴は気液分離器で除去されるから、膨張機には液滴が入りこまない。除去された液滴は蒸気発生器に戻される。また、作動媒体ポンプから蒸気発生器までの配管経路中に、予熱器を設けたことにより、予熱器で作動媒体を蒸気発生器内圧力に対し、過熱状態或いは飽和温度に近い状態まで加熱して、蒸気発生器内に導入することにより、作動媒体は蒸気発生器ですぐに沸騰を開始する。また、作動媒体の加熱に必要な熱量のうち、作動媒体の顕熱変化分は、潜熱変換分よりも大幅に小さい。従って、予熱器で顕熱変化の殆を行なっても、予熱器に必要な熱媒流量は蒸気発生器に必要とする熱媒流量よリ大幅に少なくすることができる。
【発明の効果】
【００２１】
請求項１に記載の発明によれば、作動媒体ポンプから蒸気発生器までの配管経路中に、予熱器を設け、予熱器に供給する熱媒は、蒸気発生器の入口側の加熱熱媒とするので、予熱器で作動媒体の顕熱変化させ、蒸気発生器で作動媒体の潜熱変化させるようにして、伝熱を改良することにより、作動媒体加熱部（蒸気発生器及び予熱器）をコンパクにすることができる。予熱器内の作動媒体は液相であるが、流路面積を考慮して流速を上げることで、予熱器内の作動媒体液の流速を蒸発器内の液流速よりも大きくし、伝熱が改良できる。蒸気を発生しない状態では、作動媒体の容積変化は殆どないので、圧力損失の大幅な増大を伴うことなく、伝熱改良ができる。
【００２２】
請求項２に記載の発明によれば、作動媒体ポンプから蒸気発生器までの配管経路中に、予熱器を設け、予熱器から出る作動媒体温度を、蒸気発生器での蒸気温度（蒸気発生器圧力に対する飽和温度）以上にするので、蒸気発生器に入った作動媒体はすぐに沸騰を開始するから、請求項１に記載の発明と同様、作動媒体加熱部の伝熱が改良され、作動媒体加熱部全体をコンパクとにすることができる。
【００２３】
請求項３に記載の発明によれば、蒸気発生器に供給する熱媒を、該蒸気発生器と予熱器とに並列に供給し、該予熱器における作動媒体と熱媒とは向流とするので、作動媒体の予熱器出口温度を高めことができる。
【００２４】
請求項４に記載の発明によれば、予熱器出口の作動媒体温度を所定値とするように、予熱器への熱媒を調整する装置を設けるので、予熱器出口の作動媒体温度を確実に所定値にすることができる。また、蒸気発生器での蒸気発生を安定化させることができる。
【００２５】
請求項５に記載の発明によれば、蒸気発生器での蒸発温度（蒸気発生器圧力に対する飽和温度）を基に、予熱器出口の目標温度を設定するので、予熱器で作動媒体を確実に過熱状態にすることができる。
【００２６】
請求項６に記載の発明によれば、蒸気発生器において熱交換する熱媒と作動媒体とを平行流で流し、蒸気発生器から膨張機までの配管経路中に気液分離器を設け、分離した作動媒体液を蒸気発生の入口側又は中間部に戻すので、蒸気発生器出口から湿り作動媒体蒸気が出ても膨張機に液滴が入り込むことがない。また、蒸気発生出口部で液滴の存在する作動媒体を加熱することになるから、伝熱が改良される。
【００２７】
請求項７に記載の発明によれば、作動媒体ポンプから蒸気発生器までの配管経路中に、予熱器を設けたので、予熱器で作動媒体液の顕熱変化させ、蒸気発生器で作動媒体の潜熱変化させるようにして伝熱を改良し、作動媒体加熱部（蒸気発生器及び予熱器）をコンパクにすることができる。
【００２８】
請求項８に記載の発明によれば、蒸気発生器に供給する熱媒を、該蒸気発生器と予熱器とに並列に供給し、該予熱器における作動媒体と熱媒とは向流になっている作動媒体の予熱器出口温度を高めことができる。
【発明を実施するための最良の形態】
【００２９】
以下、本発明の実施形態例を図面に基づいて説明する。
【実施例１】
【００３０】
図１は本発明に係る発電装置の構成例を示す図である。本発電装置１０は、蒸気発生器１１、凝縮器１２、膨張機としての蒸気タービン１３、作動媒体循環ポンプ１４、バルブ１５、これらを結ぶ配管経路１６、該配管経路１６に封入した作動媒体（液、蒸気）２１、及び蒸気タービン１３により駆動される発電機１７を具備する構成である。作動媒体循環ポンプ１４から蒸気発生器１１までの配管経路１６中に、予熱器１８を設けている。蒸気発生器１１及び予熱器１８に供給する加熱熱媒としてここでは温水１９を用いる。また、凝縮器１２に供給される冷却媒体としてここでは冷却水２０を用いる。
【００３１】
上記構成の発電装置１０において、作動媒体循環ポンプ１４で作動媒体（液）２１を予熱器１８に送り、該予熱器１８で作動媒体（液）２１と温水１９の間で熱交換が行なわれ、作動媒体（液）２１は蒸気発生器１１の内圧に対し、過熱状態或いは飽和温度に近い状態まで加熱される。加熱された作動媒体（液）２１は蒸気発生器１１に入り直に沸騰を開始、発生した作動媒体（蒸気）２１はバルブ１５を通って蒸気タービン１３に送られ、該蒸気タービン１３により発電機１７は駆動され発電する。蒸気タービン１３を出た蒸気は凝縮器１２送られ、該凝縮器１２で作動媒体蒸気と冷却水２０の間で熱交換が行なわれ、作動媒体（蒸気）２１は冷却され凝縮する。凝縮した作動媒体（液）２１は作動媒体循環ポンプ１４に吸引されてクローズドシステムを一巡する。
【００３２】
外部熱源からの加熱熱媒として温水１９を蒸気発生器１１と予熱器１８とに並列に供給し、予熱器１８において、温水１９の流れ作動媒体（液）２１の流れと向流（作動媒体の出口側に温水１９が流入）になるようにしている。このように作動媒体と温水を向流とすることにより予熱器１８の温水入口部の温水１９温度をなるべく高くし、作動媒体（液）２１の予熱器１８出口温度を高める。これにより、予熱器１８での作動媒体（液）２１を蒸気発生器１１内圧力に対し、過熱状態或いは飽和温度に近い状態までに加熱することが容易となより、作動媒体液が蒸気発生器１１に入るとすぐに沸騰を開始させることができる。
【００３３】
なお、図１において、２２は冷却媒体ポンプであり、該冷却媒体ポンプ２２により凝縮器１２で凝縮された作動媒体液２１は熱交換器２３を通して発電機１７送られ、そのステータ等を冷却して配管経路２４を通って凝縮器１２に戻される。発電機１７内の潤滑油は油ポンプ２５により熱交換器２３に送られ、熱交換器２３内で作動媒体液２１との間で熱交換が行なわれ冷却されて、発電機１７内に戻されようになっている。また、発電機１７で発電された交流電力は直流変換器２６で直流電力に変換された後、インバータ２７で商用電力系統の周波数の交流電力に変換さ商用系統との連携をとる。
【００３４】
図２は蒸気発生器１１として、シェル＆チューブ型の蒸気発生器の構成例を示す。図示するように、本蒸気発生器３０はシェル３１内に複数本のチューブ３２ａ、３２ｂ、３２ｃ．３２ｄが配置され、チューブ３２ａとチューブ３２ｂは端部に形成された室３２ｅで接続され、チューブ３２ｂとチューブ３２ｃは端部に形成された室２３ｆで接続され、チューブ３２ｃとチューブ３２ｄは端部に形成された室３２ｇで接続されている。また、シェル３１内は仕切璧３３ａ、３３ｂ、３３ｃ、３３ｄ、３３ｅｆで仕切られ、温水入口３４から流入した温水１９は点線Ａに示すように流れ、温水出口３５から流出する。また、作動媒体入口３６から流入した作動媒体（液）２１はチューブ３２ａ、３２ｂ、３２ｃ、３２ｄを通って温水１９の間で熱交換が行なわれ、作動媒体出口３７から作動媒体（蒸気）２１が流出し、蒸気タービン１３に供給される。このように、作動媒体出口３７側近傍のシェル３１内に高温の温水１９が流入するので、上記のように作動媒体出口３７を出る作動媒体（液）２１の温度を蒸気発生器１１内圧力に対し、過熱状態或いは飽和温度に近い状態までに加熱することが容易となる。
【００３５】
図２では、チューブ側を多パスとし、各パスの流路を均一にしているが、作動媒体２１の体積流量はも蒸気が多くなるに従い大きくなるので、作動媒体入口３６側ではチューブ本数を少なく、作動媒体出口３７に向かってチューブの本数を多くすることもできる。気混相流であっても、流速を確保することで伝熱改良をすることができる。また、作動媒体入口３６から作動媒体出口３７に向かって、流路面積を変えない場合であっても適用できる。また、プレート型蒸気発生器であっても適用できる。
【実施例２】
【００３６】
図３は本発明に係る発電装置の他の構成例を示す図である。本発電装置では、蒸気発生器１１から膨張機であるタービン１３の入口までの間に気液分離器２８を設けている。ここで予熱器１８の役目は図１の発電装置と同じである。蒸気発生器１１からの蒸気を乾き蒸気にすると、蒸気発生器１１の出口近傍の伝熱が悪化する。そこでここでは蒸気発生器１１からでる蒸気を湿り蒸気のままとし、この部分での伝熱を良好に保ち、気液分離器２５で気液を分離し、タービン１３には液滴の混入しない作動媒体（蒸気）２１を供給するようにしている。気液分離器２５で分離された作動媒体液は配管経路２６を通って蒸気発生器１１の中間部に戻している。
【００３７】
なお、図示は省略するが、図１及び図２に示す発電装置において、予熱器１８の作動媒体（液）２１の出口温度を所定の温度変化になるように、予熱器１８に供給する温水１９を調整する温水流量調整手段を設ける。これにより、作動媒体（液）２１の予熱器１８の出口温度を確実に所定値にすることができる。また、蒸気発生器１１での蒸発温度（蒸気発生器圧力に対する飽和温度）を基に、予熱器１８の出口の目標温度にを設定する。これにより、予熱器１８で作動媒体（液）２１を確実に過熱状態にすることができる。
【実施例３】
【００３８】
図４は本発明に係る発電装置の他の構成例を示す図である。本発電装置は、蒸気発生器１１において熱交換する温水１９と作動媒体液の流れを平行流とし、蒸気発生器１１から膨張機であるタービン１３までの配管経路中１６に気液分離器２５を設け、気液分離器２８で分離した作動媒体（液）２１を配管経路２９を通して蒸気発生１１の入口側又は中間部に戻す。
【００３９】
上記のように蒸気発生器１１において熱交換する温水１９と作動媒体２１とを平行流とすることにより、蒸気発生器１１の出口から湿り蒸気、即ち液滴を含む作動媒体（蒸気）２１が出るが、その分伝熱改良がされ伝熱面積が小さくできる。蒸気発生器１１の出口から出た作動媒体（蒸気）２１中の液滴は気液分離器２８で除去されるから、タービン１３には液滴が入りこまない。除去された液滴は配管経路２９を通って蒸気発生器１１に戻される。また、図１及び図３の場合と同様、作動媒体ポンプ１４から蒸気発生器１１までの配管経路１６中に、予熱器１８を設けた作動媒体２１と温水を向流とすることにより、上記と同様、予熱器１８で作動媒体２１を蒸気発生器１１内圧力に対し、過熱状態或いは飽和温度に近い状態まで加熱し、この加熱した作動媒体（液）２１を蒸気発生器１１内に導入することにより、作動媒体（液）２１は蒸気発生器１１ですぐに沸騰を開始する。また、作動媒体（液）２１の加熱に必要な熱量のうち、作動媒体（液）２１の顕熱変化分は、潜熱変換分よりも大幅に小さい。従って、予熱器１８で顕熱変化の殆を行なっても、予熱器１８に必要な熱媒流量は蒸気発生器１１に必要とする温水１９の流量よリ大幅に少なくすることができる。
【００４０】
図５は蒸気発生器１１として用いるプレート熱交換器の蒸気発生器の構成例を示す図である。図示するように、蒸気発生器４０の作動媒体入口４１から流入した作動媒体（液）２１はプレート４２の間に流れ温水入口から供給される温水１９との間で熱交換が行なわれ、作動媒体（蒸気）２１となて作動媒体出口４３から出る。このように、温水１９と作動媒体２１とを平行流で流すことにより、蒸気発生器１１出口から湿り蒸気が出るが、その分伝熱改良なされ伝熱面積を小さくできる。
【００４１】
以上、本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００４２】
【図１】本発明に係る発電装置の構成例を示す図である。（実施例１）
【図２】シェル＆チューブ型の蒸気発生器の構成例を示す図である。
【図３】本発明に係る発電装置の他の構成例を示す図である（実施例２）
【図４】本発明に係る発電装置の他の構成例を示す図である（実施例３）
【図５】プレート熱交換器の蒸気発生器の構成例を示す図である。
【符号の説明】
【００４３】
１０      発電装置
１１      蒸発器
１２      凝縮器
１３      蒸気タービン
１４      作動媒体循環ポンプ
１５      バルブ
１６      配管経路
１７      発電機
１８      予熱器
１９      温水
２１      作動媒体
２２      冷却媒体ポンプ
２３      熱交換器
２４      配管経路
２５      油ポンプ
２６      直流変換器
２７      インバータ
３０      蒸気発生器
４０      蒸気発生器
【図１】
2005264753.tif 000003
【図２】
2005264753.tif 000004
【図３】
2005264753.tif 000005
【図４】
2005264753.tif 000006
【図５】
2005264753.tif 000007